(57)【特許請求の範囲】
【請求項１】
方形で一辺を旗竿と係合して支持できるように挿入口を設けた袋縫いにして、他の３辺には各１本ずつ高反発力の細い丸棒を有してなる旗布と、パイプに、刺傷防止用のキャップと、旗布を回転自在とすると共に、旗布を旗竿へ位置固定する役目をするローラーと、グリップと、ストラップ取り付けリングを有してなる旗竿とで構成される絡まりを防止する手旗。
【請求項２】
請求項１記載の手旗は、旗布の各辺が５００ｍｍ以下で、旗竿は全長６５０ｍｍ以下の竿先が細くグリップにかけて太くなるテーパーパイプで、高反発力を有する細い丸棒と、旗竿のパイプと、刺傷防止用のキャップと、旗布を回転自在とすると共に、旗布を旗竿へ位置固定する役目をするローラーと、ストラップ取り付けリングの部材は、炭素繊維強化プラスチックやFRP樹脂やプラスチック樹脂で形成されてなり、グリップの部材は、EVA樹脂（エチレン・酢酸ビニル共重合樹脂）やコルクや木で形成されてなる、絡まりを防止する手旗。
【発明の詳細な説明】
【技術分野】
【０００１】
本発明は絡まりを防止する手旗に関する。
【背景技術】
【０００２】
従来の絡まりにくくさせた手旗には、旗竿を回転自在にさせて旗布の一辺や面に細い棒や錘を施したものがある。（例えば、特許文献１〜１２）また、絡まらないようにした手旗には、旗竿と旗布の上端に直角方向に支え棒を施したものがある。（例えば、特許文献１３〜１６）
【先行技術文献】
【特許文献】
【０００３】
【特許文献１】特開２００３−１３１６０２号公報
【特許文献２】実登３１００３０６号公報
【特許文献３】公開実用新案公報  昭６１−１６５５９０号公報
【特許文献４】実登３０４５１４５号公報
【特許文献５】実公平４−４９６６３号公報
【特許文献６】実登３１１０６１０号公報
【特許文献７】実登３１６９８２０号公報
【特許文献８】実登３０７５５５６号公報
【特許文献９】実開平０７−１０７８６号公報
【特許文献１０】実登３１１４３２２号公報
【特許文献１１】実登３０８７４４６号公報
【特許文献１２】特開２００７−３４０８４号公報
【特許文献１３】特開２００２−０６２８３１号公報
【特許文献１４】実登３１７４１８５号公報
【特許文献１５】実登３０８７４５１号公報
【特許文献１６】特開２００５−１４８０８２号公報
【発明の概要】
【発明が解決しようとする課題】
【０００４】
しかしながら、特許文献１〜１２は旗竿に支持される旗布の一辺以外の１〜３辺が旗竿を超えて折り返ってしまうので、絡まりにくいが実際は絡まる。特許文献１３〜１５は絡まらないが、強固な構造なので重量が増して軽さに欠点がある。また、旗布への錘や旗竿に折りたたみ機能を加えたものは、重心が旗先側になり慣性の作用が大きくなるので実重量よりも更に重く感じる。特許文献８と１６は回転自在ではないので、旗竿に旗布を取り付けただけの手旗や、回転自在の構造を設けた手旗よりも、旗布からのトルクがグリップに大きく作用するため、実重量よりも重く感じる。そして、特許文献１６は絡まらないが、巻きたためないので携帯性に欠点がある。また、グリップが細いものや形状がストレートのものは、抜け落ちないように強く握る必要があるため、実重量よりも重く感じる。そして、旗の回転自在を可能にしているものは、強度を得るために金属を多用しているので重量が増し、且つ落雷事故の危険性が高くなる。これらの手旗は、交通誘導で多く使われている紅白の手旗（旗布は、縦４９０ｍｍ横５００ｍｍのナイロン製。旗竿は、全長６００ｍｍで外径１０ｍｍの木製の丸棒。旗布と旗竿の総重量が一本６２ｇ。誤差±１ｇ）のサイズと重量を基準として比較すると、外寸を同等にした場合、絡まりにくくするための施しが加わるため、基準値よりも重くなる。
【課題を解決するための手段】
【０００５】
本発明は、旗竿と係合して支持される旗布の袋縫いされた一辺以外の旗端３辺の三つ折り縫いした内部に、高反発力を有する細い丸棒（炭素繊維強化プラスチックやFRP樹脂やプラスチック樹脂）を各一本ずつ入れた旗布と、炭素繊維強化プラスチックやFRP樹脂やプラスチック樹脂のテーパーパイプを母体とする旗竿に、刺傷防止のキャップを竿先に取り付け、旗布の回転自在と脱落防止の役目をするローラーと、外径３０ｍｍ以下のグリップを有する旗竿を提供することで、上記課題を解決する。
【発明の効果】
【０００６】
本発明は、旗布の視認性を改善させるために、旗竿と係合し支持される旗布の一辺以外の３辺の三つ折り縫いした内部に高反発力がある細い丸棒を設けたことと、曲げには弱いが引張りに強い布の特徴が、対角線上に筋交い（トラス構造）の作用が働くので、旗布は対角線上でしか折り返らない。よって各辺は旗竿を越えて折り返らないため絡まらない。また、１００％の視認状態で振りまわしているときは、トラス構造の効果もあり旗面の型崩れが起こりにくく、はためきを制限し安定させる作用をする３辺に施された細棒が層流効果をアシストすることと、慣性の力も作用するので、高い視認性が維持される。視認性が５０％になるときは、振らずに旗先を真上真下に向けたときに対角線上で折り返って直角二等辺三角形になったときだけである。よって、視認性は常時５０％以上確保できる。なお、確実な合図の伝達としての視認性を優先しているので、視認性の安定が悪い旗らしいはためきは不必要である。
【０００７】
本発明の携帯性については、旗布を対角線上で一度折り、直角二等辺三角形にして、更に底辺の垂直二等分線で折り、両角を合わせた後、旗竿に巻き収めることで携帯可能となる。また、布製品のほつれる個所は縫い合わせや擦れる頻度が多い布端や角であるが、この巻き収める方法は、それらの部位が内側に巻き収まるのでほつれにくい。従来の巻物のようにそのまま巻き収める方法は、携帯時も常にそれらの部位が外側に出ているため、同使用条件ならば、従来の収める方法のほうがほつれやすい。また、３辺の三つ折り縫いされた布端内部に細棒を設けているため、三角折りした後、各辺を旗竿に揃えて沿わせ易いので収まりがよく巻き収め易い。施しが無い旗布は三角折りがはだけやすく、この巻き収める方法がやりにくい。
【０００８】
本発明は、竿先が細くグリップにかけて太くなるテーパーパイプ（６）を母体とした旗竿で、その材料は、炭素繊維強化プラスチックやFRP樹脂やプラスチック樹脂なので、竿先が軽量になり慣性の作用が小さい。また、グリップは最大外径３０ｍｍの範囲で、くびれを持たせた太い形状のため、小さな握力でも摩擦が大きく得られ重心もグリップ側になるので、強く振り回しても抜け落ちにくくて実重量より軽く感じる。また、手旗を構成する部品は絶縁材料からなるので、落雷事故や錆や金属アレルギー対策に有利である。また、竿先には刺傷防止のキャップが施してあるので安全である。
【０００９】
本発明を、交通誘導で多く使われている紅白の手旗のサイズ（旗布は、縦４９０ｍｍ横５００ｍｍのナイロン製。旗竿は、全長６００ｍｍで外径１０ｍｍの木製の丸棒。旗布と旗竿の総重量が一本６２ｇ。誤差±１ｇ）のサイズと重量を基準として比較すると、本発明は、旗布の外寸を同等にして旗竿の全長を３０ｍｍ延長した手旗であるが、一本５２ｇ誤差±１ｇである。この約１６％の軽量化は、疲労の軽減に効果がある。
【００１０】
本発明は、テーパーパイプの竿先と竿尻を刺傷防止のキャップとストラップ取り付けリングで塞いで空気室を設けて、グリップも多孔質で浮力ある素材なので、水上で取り落としても沈まずに容易に回収できる。
【発明を実施するための最良の形態】
【００１１】
軽量で組み立て易く、落雷事故の危険性を軽減し、携帯性を損なわずに、旗布が旗竿に絡まらないようにする目的を、交通誘導員が使用している紅白の手旗（旗布は、縦４９０ｍｍ横５００ｍｍのナイロン製。旗竿は、全長６００ｍｍで外径１０ｍｍの木製の丸棒。）のサイズを、ほぼそのままにして最小の部品点数で実現した。
【実施例１】
【００１２】
以下、本発明の実施の形態を図面に基づいて説明する。図１の旗布（１）は、縦４９０ｍｍ、横幅をテーパーパイプ（６）の最大外径１０ｍｍを追加した５００ｍｍとすると、巻き収める旗布部分が正方形となり、きれいに三角折りして巻き収めることができる。
【００１３】
図１の旗布（１）の旗端の三つ折り縫い部（３）の幅は３〜４ｍｍとし、図６の高反発力のある細い丸棒（２）は、炭素繊維強化プラスチックやFRP樹脂やプラスチック樹脂で、直径２〜３ｍｍで全長４５０ｍｍとする。図６の（２）は、旗端の三つ折り縫い部（３）の形成時に縫い込むか、形成後にピンで穴を開けて差し入れて仕上げる。また、旗布の素材は化学繊維のほうが撥水剤塗布後の効果がよいので化学繊維がよい。
【００１４】
図１の旗布と図２の旗竿と係合し支持される袋縫い部分（４）の開口部の幅は、３５ｍｍ〜４０ｍｍとすると、旗竿の挿入や図３の旗布固定個所（１２）での固定作業がしやすい。
【実施例２】
【００１５】
図２の旗竿の刺傷防止のキャップ（５）サイズと材料は、図４に示すように、球状の先端外径を１０ｍｍ、刺傷防止キャップの接着する軸部分（５a）は外径５．５ｍｍ軸長２０ｍｍの、プラスチック樹脂のものを竿先に差し入れエポキシボンドで固定すると、先端が割れないので安全である。
【００１６】
図２のテーパーパイプ（６）のサイズと材料は、全長６１５ｍｍで、竿先は外径８ｍｍ内径６ｍｍ、竿尻は外径１０ｍｍ内径８ｍｍの、炭素繊維強化プラスチックやFRP樹脂やプラスチック樹脂材とすると、軽さと強度のバランスがよい。
【００１７】
回転部分の材料はプラスチック樹脂で各サイズは、図８のローラーシャフト（８）は、全長３０ｍｍ内径９ｍｍ外形１１ｍｍ、ローラーシャフトの鍔（８a）の外径は１５ｍｍ。図８のローラー（７）は、全長２７ｍｍ内径１１．５ｍｍ外径１５ｍｍ、図８のワッシャー（９）は、厚み１ｍｍ内径９ｍｍ外径１５ｍｍ。テーパーパイプ（６）とローラーシャフト（８）の接する面のみにエポキシボンドで固定する。
【００１８】
図２のグリップ（１０）は、EVA樹脂（エチレン・酢酸ビニル共重合樹脂）やコルクや木製で、テーパーパイプ（６）を差し込むグリップトップ（１０a）からグリップエンド（１０ｃ）までの中心軸の内径は、弾力のあるEVA樹脂やコルクのときは９ｍｍ、木製のときは内径を９．５ｍｍにしてグリップエンド（１０ｃ）を少し調整すると、テーパーパイプ（６）が収まり易くなる。グリップ（１０）の形状は、中間のくびれ（１０ｂ）の外径を１９ｍｍ（誤差±１ｍｍ）にして、グリップエンドの外径を２７ｍｍ（誤差±１ｍｍ）の太さにすると握り易くて抜け落ちにくい。グリップの長さは、一般成人男性が拳を握って親指を立てたときの指先から小指側までの長さが約１５０ｍｍで、女性が約１４０ｍｍなので、１４０ｍｍにすると男女共に扱い易い。
【００１９】
図２のストラップ取り付けリング（１１）の材料はプラスチック樹脂で、形状は図５に示すように、ストラップ取り付けリングが脱落しないように、ストラップ取り付けリングの接着面台（１１a）の外径を１３ｍｍ、ストラップ取り付けリングの接着強度を補強する軸（１１ｂ）を外径７ｍｍ軸長１０ｍｍにして、エポキシボンドで接着する。
【実施例３】
【００２０】
図２の旗竿の組み立ては、２液のエポキシボンドがよい。また、図１の旗布と、図２の旗竿とを組み立てるときは、図１の袋縫い部（４）に、図２の旗竿を挿入する。そして、ローラー（７）の外周の半分から上に両面テープを施して、旗布の袋縫い（４）の内側を貼り付ける。次に、旗布固定個所（１２）の外側とテープ巻きしろとして出ているローラーの半分から下とを跨ぐように、外周をテープで固定巻きする。または、かがり縫いや超音波溶着器で溶着する。このとき、竿先と袋縫い部のクリアランスは５ｍｍとなるようにする。これにより図３のように一体化され回転自在の手旗となる。
【産業上の利用可能性】
【００２１】
絡まりを防止し視認性が良い手旗なので、日本船舶手旗信号法による海上自衛隊や海上保安庁やなどの船上通信での利用。または、海洋少年団やボーイスカウトの手旗信号の訓練及び全国大会の競技。または、交通誘導での利用や、スポーツの審判員での利用の可能性がある。
【図面の簡単な説明】
【００２２】
【図１】請求項１の旗布の正面図
【図２】請求項２の旗竿の正面図
【図３】請求項１の旗布と請求項２の旗竿を組み立てた正面図
【図４】刺傷防止キャップの正面図
【図５】ストラップ取り付けリングの正面図
【図６】高反発力のある細い丸棒の正面図
【図７】図２のローラーA−A断面図
【図８】図７のローラーB−B断面図
【符号の説明】
【００２３】
１  旗布
２  高反発力のある細い丸棒
３  布端の三つ折り縫い部分
４  旗布の袋縫い部分
５  刺傷防止キャップ
５a  刺傷防止キャップの接着する軸部分
６  テーパーパイプ
７  ローラー
８  ローラーシャフト
８a  ローラーシャフトの鍔
９  ワッシャー
１０  グリップ
１０a  グリップトップ部分
１０ｂ  グリップくびれ部分
１０ｃ  グリップエンド部分
１１  ストラップ取り付けリング
１１a  ストラップ取り付けリングの接着面台
１１ｂ  ストラップ取り付けリングの接着強度を補強する軸
１２  旗布固定個所
【要約】
【課題】軽量で組み立て易く、落雷事故の危険性を軽減し、携帯性を損なわずに、旗布が旗竿に絡まらないようにする手旗を、最小の部品点数で可能にする。
【解決手段】旗竿と係合して支持される旗布の袋縫いされた一辺以外の旗端３辺の三つ折り縫いした内部に、高反発力の細棒（炭素繊維強化プラスチックやFRP樹脂やプラスチック樹脂）を各一本ずつ入れた旗布と、炭素繊維強化プラスチックやFRP樹脂製のパイプを母体とする旗竿に、刺傷防止のキャップを竿先に取り付け、旗布の回転自在と脱落防止の役目をするローラーと、外径３０ｍｍ以下のグリップを有する旗竿を提供することで、上記課題を解決する。
【選択図】図３【図１】
0005946050.tif 000002
【図２】
0005946050.tif 000003
【図３】
0005946050.tif 000004
【図４】
0005946050.tif 000005
【図５】
0005946050.tif 000006
【図６】
0005946050.tif 000007
【図７】
0005946050.tif 000008
【図８】
0005946050.tif 000009